(57)【要約】【課題】  紙管本体の両端部に無塵紙粘着シートを貼着することにより、充分な発塵抑制効果があって、クリーンルーム内での使用が可能となり、かつ一般的な紙管をそのまま利用でき安価に供給できる紙管を提供する。【解決手段】  紙管本体１の両端部に無塵紙貼着シート２を貼着する。【選択図】      図１
2007031108.tif 000002
【特許請求の範囲】
【請求項１】
紙管本体の両端部に無塵紙粘着シートを貼着してなる紙管。
【請求項２】
無塵紙粘着シートは、紙管本体の外周端面および内周端面に貼着する折り返し片を設けてある請求項１に記載の紙管。
【請求項３】
無塵紙粘着シートは、折り返し片の折り目線が刻設されている請求項１または２に記載の紙管。
【請求項４】
無塵紙粘着シートは、離型シートが貼着されている請求項１〜３のいずれか１項に記載の紙管。  
【発明の詳細な説明】
【技術分野】
【０００１】
本発明は、主として液晶フィルムや電子部品の回路フィルム、食品包装フィルムなどを巻き付けまたは巻き戻し時に用いる紙管に関するもので、さらに詳しくはクリーンルーム内で使用可能な紙管に関するものである。  
【背景技術】
【０００２】
従来から、フィルム、紙、糸などの捲装物を巻き付けたり、巻き戻したりする時に使用するスパイラル紙管は、クラフト紙からなる帯状原紙の複数枚を互いにずらして重合接着させながらスパイラル状に巻着して紙管が形成される。このスパイラル紙管は、捲装物の巻き幅に応じてカッターにより一定の寸法に切断されて使用されている。
【０００３】
紙管がカッターで切断されると切断面にメクレ、カエリが発生すると共に、紙を構成しているパルプ繊維が露出するため、紙粉と言われる微細化したパルプ繊維の脱落が発生しやすく、この微細な紙粉が飛散して捲送物に付着するなどの問題が生じていた。
【０００４】
この紙粉が捲送物に付着しても問題にならない捲送物の場合は良いが、液晶フィルムや電子部品の回路フィルム、食品包装用フィルムなどの場合は、微少の紙粉が付着しても製品の欠陥や品質、歩留まり等重大な影響を生じることから通常の紙管では巻取れなかった。
【０００５】
上記の欠点を解消するものとして、紙管の切断面に合成樹脂を塗着し、紙片、紙粉を飛散しないようにする場合もあるが、面積の小さい肉厚部にうまく塗着できないばかりでなく、塗着して盛り上がった所を平滑面に研磨しなければならず、塗着作業と研磨作業に手間を要すると共に、研磨時に粉塵が発生し、その粉塵が紙管に付着することになり、フィルムを巻き付ける時に付着すると言った問題があった。
【０００６】
また、別のものとして、上記のようなフィルムを巻取るのに粉塵が発生しないプラスチックパイプを用いることもある。このプラスチックパイプの場合は、使用後に回収して再利用可能の至便性はあっても、回収するコストが高くなると共に、使用済み後、焼却すると環境汚染を招くこともあることから敬遠されているのが現状である。
【０００７】
そこで、大気中に浮遊する微少な塵埃が極めて少ない環境に保たれたクリーンルーム内で行われる液晶フィルムや電子部品の回路フィルムあるいは食品包装用フィルムなどの巻取り、巻き戻し作業で使う紙管は、帯状原紙に無塵紙を用いてスパイラルに何層にも巻回して構成された紙管が用いられている。（例えば、特許文献１、２）
【特許文献１】特開２０００−２７２０３１号公報
【特許文献２】実用新案登録第３１０５７９８号公報
【発明の開示】
【発明が解決しようとする課題】
【０００８】
しかしながら、前記特許文献１、２の無塵紙からなる紙管は、紙管を構成する帯状原紙が全て無塵紙であることから、一般的なクラフト紙からなる紙管と比べて大幅なコスト高になる問題があった。
【０００９】
本発明は、上記のような問題点を解決することを課題として開発されたもので、充分な発塵抑制効果があって、クリーンルーム内での使用が可能となり、かつ一般的な紙管をそのまま利用でき安価に供給できる紙管を提供することを目的とするものである。
【課題を解決するための手段】
【００１０】
上記の課題を解決し、その目的を達成する手段として、本発明では、紙管本体の両端部に無塵紙粘着シートを貼着してなる紙管を開発し、採用した。
【００１１】
また、本発明では、上記のように構成した紙管において、無塵紙粘着シートは、紙管本体の外周端面および内周端面に貼着する折り返し片を設けてある紙管、および無塵紙粘着シートは、折り返し片の折り目線が刻設されている紙管、および無塵紙粘着シートは、離型シートが貼着されている紙管を開発し、採用した。
【発明の効果】
【００１２】
本発明は、紙管の両端部に無塵紙粘着シートを貼着してあるから、パルプ繊維露出による紙粉塵が発生しなくなり、クリーンルーム内での使用が可能となって塵埃などを嫌う各種フィルムなどの巻取り、巻き戻し作業に悪影響を与えることがない。また、無塵紙粘着シートは、紙管本体の外周端面および内周端目に折り返して貼着されているから、使用時あるいは保管、運搬時など接触や摺接などによる外力が働いても剥がれて取れることがない。さらに、折り目線が施されているから、折り返し片を外周面と内周目に容易に確実に貼着できる。また、無塵紙粘着シートには離型シートが貼着されているから、離型シートを剥がすまで他物と接合せず離型シートを剥がすと接合できる。
【発明を実施するための最良の形態】
【００１３】
以下に、本発明の実施の形態を添付の図１〜図４に基づいて説明すると、１はマンドレルに複数枚のクラフト紙からなる帯状原紙を互いにずらしてスパイラルに何層にも巻回して形成した筒状のスパイラル紙管本体であるが、必ずしもスパイラル紙管に限定されるものではなく、平巻きによる紙管でも良いのは勿論のことである。
【００１４】
２は紙管本体１の両端部に貼着された無塵紙粘着シートであり、この無塵紙粘着シート２は、図４に示すように、粘着シート基材２ａを発塵の少ない無塵紙（リンテック（株）社製  商品名クリーンペーパー）で構成されており、その内面にアクリル系、ポリエステル系、ウレタン系などの粘着剤層２ｂが塗着されてあり、その上面にシリコーン樹脂層が塗着された離型シート２ｃが貼着されている。
【００１５】
この無塵紙粘着シート２には、紙管本体１の外周端面および内周端面に貼着される折り曲げ片３、４が設けられている。即ち、外周縁の近傍の内側周縁に折り目５を刻設すると共に、内周縁の近傍の外側周縁に折り目６を刻設してあり、この折り目５、６をそれぞれ山折りすることにより折り曲げ片３、４が形成される。この折り曲げ片３、４の折り曲げ長さは端面から少し長さ方向に入る長さであれば良い。
【００１６】
上記の無塵紙粘着シートに用いられている無塵紙の発塵試験（ＳＥＭＩ Ｇ６８−９６）に準じて行った結果を下記に示す。
０．１μｍ以上  擦り；９個／ＣＦ（立方フィート）  揉み；１１３個／ＣＦ  引裂揉む；７５個／ＣＦであった。
０．３μｍ以上  擦り；９個／ＣＦ  揉み；３８個／ＣＦ  引裂揉む；２８個／ＣＦであつた。
【００１７】
上記のように構成した本発明の実施形態の使用状態を作用、効果と共に説明すれば、無塵紙粘着シート２の裏面に貼着してある離型シート２ｃを剥がし、表れた粘着剤層２ｂを紙管本体１の両端面に貼着すれば、紙管切断面のパルプ繊維が被覆されて紙粉の発生がなくなって容易に無塵紙管になり、通常の紙管をそのまま利用できる至便性があり、クリーンルームでの使用が可能となり、従来の全てが無塵紙からなる紙管と比べて極めて安価に供給できる。
【００１８】
また、無塵紙粘着シート２は、紙管本体１の外周端面および内周端面に沿う折り返し片３、４を設けてあるため、メクレ、カエリがあっても被覆すると共に、運搬中など他物との接触摩擦などによっても剥がれることがない。さらに、折り返し片３、４は折り目線５、６にそって折り曲げれば端面に正確に容易に貼着することができる。
【００１９】
以上、本発明の主要な実施の形態について説明したが、本発明は上記の実施例に限定されるものではなく、発明の目的を達成でき、かつ発明の要旨を逸脱しない範囲内で種々の設計変更が可能であることは言うまでもない。
【産業上の利用可能性】
【００２０】
本発明は、液晶フィルムや回路フィルム、食品包装用フィルムなどに限らず、クリーンルーム内で行なわれる各種の捲装物の巻付け、巻戻し作業などの紙管として利用できるものである。
【図面の簡単な説明】
【００２１】
【図１】本発明の実施の形態を示す斜視図である。
【図２】図１のＡ−Ａ線断面図である。
【図３】無塵紙粘着シートの正面図である。
【図４】図３のＢ−Ｂ線断面図である。
【符号の説明】
【００２２】
１      紙管本体
２      無塵紙粘着シート
２ａ    粘着シート基材
２ｂ    粘着剤層
２ｃ    離型シート
３，４  折り返し片
５，６  折り目線
【図１】
2007031108.tif 000003
【図２】
2007031108.tif 000004
【図３】
2007031108.tif 000005
【図４】
2007031108.tif 000006